(57)【要約】【課題】本発明は携帯機器の外面に通風孔を形成しなくても防水機能だけでなく外部と内部の通風が行われるようにする携帯機器を提案する。【解決手段】本実施例の携帯機器は、ＬＥＤレンズの少なくとも一部が通過可能な大きさのＬＥＤ孔が形成されているバッテリカバーと、前記ＬＥＤレンズの下部面の一部を支持しながら前記バッテリカバーの下側に位置して所定の大きさの通風孔が形成されるレンズ支持部と、前記ＬＥＤレンズを介して放出される光を生成するＬＥＤ素子と、前記バッテリカバーの下側と前記レンズ支持部との間に提供されて水分の浸透を防止するための防水テープと、前記通風孔を介して空気が通風できるようにする部材であって、前記レンズ支持部の下側に提供されるエアベントフィルタと、を含む。【選択図】図５
2015089107.tif 000002
【特許請求の範囲】
【請求項１】
携帯機器の内部に配置されるＬＥＤ素子と、
前記ＬＥＤ素子から発生した光が通過するＬＥＤレンズと、
前記ＬＥＤレンズの一部が露出するように、前記ＬＥＤレンズとの間に隙間が形成される大きさのＬＥＤ孔が形成されるカバーと、
前記カバーの内側に配置される防水テープと、を含み、
前記ＬＥＤ素子から発生した光が通過するＬＥＤレンズと、
前記ＬＥＤレンズの延長領域には通風孔が形成され、
前記防水テープは前記カバーの内側面と前記ＬＥＤレンズの延長領域の間に配置される携帯機器。
【請求項２】
前記通風孔の下側には空気の循環が可能でありながらも水分の移動を防止するためのエアベントフィルタが設けられる、請求項１に記載の携帯機器。
【請求項３】
前記ＬＥＤレンズの延長領域とレンズ領域は一つの本体を形成され、前記レンズの下側部から前記カバーの方に延長形成される、請求項１に記載の携帯機器。
【請求項４】
前記ＬＥＤレンズの延長領域は前記カバーの内側から前記ＬＥＤ孔を囲む形状に形成される、請求項１に記載の携帯機器。
【請求項５】
ＬＥＤレンズの一部が通過可能な大きさのＬＥＤ孔が形成されているバッテリカバーと、
前記ＬＥＤレンズの下部面の一部を支持しながら前記バッテリカバーの下側に位置して所定の大きさの通風孔が形成されるレンズ支持部と、
前記ＬＥＤレンズを介して放出される光を生成するＬＥＤ素子と、
前記バッテリカバーの下側と前記レンズ支持部との間に提供されて水分の浸透を防止するための防水テープと、
前記通風孔を介して空気が通風できるようにする部材であり、前記レンズ支持部の下側に提供されるエアベントフィルタと、
を含む携帯機器。
【請求項６】
前記ＬＥＤレンズとバッテリカバーとの間には空気の移動経路となる隙間が形成される大きさで前記ＬＥＤ孔が形成される、請求項５に記載の携帯機器。
【請求項７】
前記防水テープは前記バッテリカバーの下側で前記ＬＥＤ孔を囲む大きさで提供される、請求項６に記載の携帯機器。
【請求項８】
前記レンズ支持部の通風孔は前記隙間と防水テープとの間が繋がる経路に位置する、請求項６に記載の携帯機器。
【請求項９】
前記レンズ支持部は前記バッテリカバーの下側で前記ＬＥＤ孔を囲む形状で提供される、請求項５に記載の携帯機器。
【請求項１０】
前記エアベントフィルタは樹脂フィルムと、前記樹脂フィルムの上に形成される処理層と、前記樹脂フィルムの厚さ方向に形成される複数個の貫通孔で形成される、請求項５に記載の携帯機器。
【請求項１１】
前記レンズ支持部は前記ＬＥＤレンズの下部で前記ＬＥＤ素子の側方向に連結される、請求項５に記載の携帯機器。 
【請求項１２】
ＬＥＤレンズの一部が通過可能な大きさのＬＥＤ孔が形成されているバッテリカバーと、前記ＬＥＤレンズの下部面の一部を支持しながら所定の大きさの通風孔が形成されるレンズ支持部と、前記バッテリカバーの下側と前記レンズ支持部との間に提供されて水分の浸透を防止するための防水テープと、前記通風孔を介して空気が通風できるようにする部材であり、前記レンズ支持部の下側に提供されるエアベントフィルタを含む携帯機器に対する防水テスト方法であって、
前記ＬＥＤレンズと前記バッテリカバーとの間に形成される隙間を覆う大きさの空気ホースを前記バッテリカバーの上に位置させるステップと、
前記携帯機器が内側から前記エアベントフィルタに向かって空気を注入するステップと、
前記エアベントフィルタに向かって注入した空気の量と前記空気ホースを介して吐出される空気の量を比較することで前記防水テープの性能を評価するステップと、
を含む携帯機器の防水テスト方法。
【請求項１３】
前記隙間を閉鎖するマスキングテープを前記バッテリカバーの上に付着し、予め設定された値の空気圧で前記携帯機器に圧力を加えることで前記携帯機器の曲げ程度を測定するステップをさらに含む、請求項１２に記載の携帯機器の防水テスト方法。
【発明の詳細な説明】
【技術分野】
【０００１】
本発明は、携帯機器及びその防水テスト方法に関するものである。
【背景技術】
【０００２】
最近、防水機能を有する電気機器が開発及び販売されている。防水機能を有するスマートフォン、タブレットＰＣなどの携帯機器は、ケースの内部に水が浸透することを抑制する構造で形成される。即ち、水が浸透し得る隙間をゴムなどを利用してシーリング処理するなどの密閉構造で形成される。
【０００３】
しかし、このような従来の防水構造によってはユーザが携帯機器を操作することによって圧迫されるか携帯機器内部から発生する熱によって携帯機器の内部圧力が急激に上昇する問題がある。
【０００４】
このような問題を解決するために、携帯機器の内部と外部に風が通る構造を適用する場合もある。例えば、防水携帯機器（ｗａｔｅｒｐｒｏｏｆ  ｍｏｂｉｌｅ  ｔｅｒｍｉｎａｌ）で空気が通らない密閉構造を改善するために気圧調節シートを利用する場合がある。
【０００５】
図１は、従来の防水機能を有する携帯機器のリアケースを示す図であり、図２は防水機能を有する携帯機器でバッテリカバーが締結された状態での後面部を示す図である。
【０００６】
図１と図２を参照すると、携帯機器がバッテリ１を交換可能なタイプである場合、携帯機器は内部の回路を保護するリアケース２と、前記リアケース２を覆うバッテリカバーで構成される。即ち、携帯機器の後面部となるバッテリカバーを分離するとリアケースが存在し、携帯機器の内部と外部が通風されるために前記バッテリカバーとリアケースにそれぞれ孔が形成される。
【０００７】
そして、防水携帯機器は内部を密閉すべきであるが、このような密閉された内部空間によって内部圧力が大きく増加することを防ぐためにエアベント孔１０をリアケース２に形成する。
【０００８】
前記エアベント孔１０にはエアベントフィルタという特殊フィルムが設けられるが、エアベントフィルタは空気の循環は可能であるが水が浸透することは防止するこのようなエアベントフィルタは前記リアケース２の内部で前記エアベント孔１０の入口を隠すように装着される。
【０００９】
そして、バッテリカバー２０にも空気が通風されるようにするための通風孔２１が形成されるべきであり、前記通風孔２１と共にリアケース２のエアベント孔１０によって携帯機器の内部圧力が異常に上昇することを防止する。
【００１０】
エアベント孔と通風孔が形成された携帯機器の断面構造が図３と図４に示される。
【００１１】
図３を参照すると、リアケース２に形成されたエアベント孔１０の下側の出入口を閉鎖可能な大きさのエアベントフィルタ３０が設けられる。この場合、図示した矢印のように端末機内部の空気はエアベントフィルタ３０を介してバッテリカバー２０とリアケース２との間の空間に沿って移動し、図４に示したようなバッテリカバー２０に形成された通風孔２１を介して循環が行われる。
【００１２】
図４はバッテリカバー２０に形成される通風孔２１をエアベントフィルタで閉鎖した場合が示されており、このようなエアベントフィルタ３０を利用して水の浸透を防ぎながらも空気は通過するようにしている。
【００１３】
防水携帯機器がバッテリを交換可能なタイプである場合、このように防水及び通風に対する構造をリアケースとバッテリカバー両方に注意しなければならない。空気循環のためにリアケースにもエアベント孔１０を形成すべきであり、バッテリカバー２０にも通風孔２１を形成すべきである。
【発明の概要】
【発明が解決しようとする課題】
【００１４】
しかし、ユーザの立場では防水携帯機器であってもバッテリカバーとリアケースに孔が形成されていることについて違和感を感じる恐れがあり、特に携帯機器の外観デザインが非常に重視されている最近の環境では露出している孔によって携帯機器の外観を損なう恐れがある。
【００１５】
そして、バッテリカバー２０の通風孔２１をエアベントフィルタ３０で閉鎖する構造になっているが、前記通風孔２１が携帯機器の後面に露出されているため前記エアベントフィルタ３０がユーザの不注意で落ちる恐れもある。
【００１６】
本発明は携帯機器の外面に通風孔を形成しなくても防水機能だけでなく外部と内部の通風が行われるようにする携帯機器を提案する。
【００１７】
そして、防水及び通風が可能な携帯機器に対して防水性と通風性能に対するテストを行う方法についても提案する。
【課題を解決するための手段】
【００１８】
本実施例の携帯機器は、携帯機器の内部に配置されるＬＥＤ素子と、前記ＬＥＤ素子から発生した光が通過するＬＥＤレンズと、前記ＬＥＤレンズの一部が露出するように、前記ＬＥＤレンズとの間に隙間が形成される大きさのＬＥＤ孔が形成されるカバーと、前記カバーの内側に配置される防水テープと、を含み、前記ＬＥＤレンズは前記ＬＥＤ孔によって露出されるレンズ領域と、前記ＬＥＤレンズから延長されて前記カバーの下側に位置する延長領域を含み、前記ＬＥＤレンズの延長領域には前記通風孔が形成され、前記防水テープは前記カバーの内側面と前記ＬＥＤレンズの延長領域の間に配置される。
【００１９】
また、本実施例の携帯機器は、ＬＥＤレンズの少なくとも一部が通過可能な大きさのＬＥＤ孔が形成されているバッテリカバーと、前記ＬＥＤレンズの下部面の一部を支持しながら前記バッテリカバーの下側に位置して所定の大きさの通風孔が形成されるレンズ支持部と、前記ＬＥＤレンズを介して放出される光を生成するＬＥＤ素子と、前記バッテリカバーの下側と前記レンズ支持部との間に提供されて水分の浸透を防止するための防水テープと、前記通風孔を介して空気が通風されるようにする部材であって、前記レンズ支持部の下側に提供されるエアベントフィルタと、を含む。
【図面の簡単な説明】
【００２０】
【図１】防水機能を有する携帯機器のリアケースを示す図である。
【図２】防水機能を有する携帯機器のバッテリカバーが締結された状態での後面部を示す図である。
【図３】リアケースの内側にエアベントフィルタが設けられる場合を示す図である。
【図４】バッテリカバー内側にエアベントフィルタが設けられる場合を示す図である。
【図５】本実施例によって防水機能を有する携帯機器のバッテリカバーに適用される通風構造を示す図である。
【図６】本実施例に適用可能なエアベントフィルタの構造を示す図である。
【図７】図５に示した携帯機器の通風構造を拡大して示す図である。
【図８】ＬＥＤ孔を介してＬＥＤレンズの上部面の一部が露出された様子を示す図である。
【図９】携帯機器の防水テストを行う様子を示す図である。
【図１０】本実施例の通風構造を有する携帯機器に対して防水テストを行う方法を説明する図である。
【図１１】本実施例の通風構造を有する携帯機器に対して防水テストを行う方法を説明する図である。
【図１２】本実施例の通風構造を有する携帯機器に対して防水テストを行う方法を説明する図である。
【図１３】本実施例の通風構造を有する携帯機器に対して防水テストを行う方法を説明する図である。
【発明を実施するための形態】
【００２１】
図５は、本実施例によって防水携帯機器のバッテリカバーと通風構造を説明する図である。
【００２２】
図５を参照すると、実施例による通風構造は携帯機器の後面に設けられるＬＥＤモジュール１３０を利用する。映像撮影の際に十分な光量を提供するためにＬＥＤモジュール１３０が携帯機器に装着されると、携帯機器のバッテリカバー１１０にはＬＥＤモジュール１３０の一部が露出するようにするＬＥＤ孔１１１が形成される。
【００２３】
本実施例の通風構造は、このようなＬＥＤ孔１１１を利用してエアベントフィルタ１４０によって携帯機器内部の通風が行われるようにする。即ち、空気の出入は可能であるが水分の浸透は防止するエアベントフィルタ１４０をＬＥＤモジュール１３０の下側に構成し、従来のエアベント孔の役割をＬＥＤ孔１１１が行うようにする。ＬＥＤモジュール１３０が装着される携帯機器の場合、バッテリカバー１１０に形成されるべきＬＥＤ孔１１１とＬＥＤモジュール１３０との間の隙間がエアベント孔の役割を行うようにすることで別途のエアベント孔を形成する必要がない。
【００２４】
実施例の通風構造は、エアベントフィルタ１４０がＬＥＤモジュール１３０の下側に設けられ、前記ＬＥＤモジュール１３０には水分の浸透を防止するための環（ｒｉｎｇ）状の防水テープ１２０が更に設けられる。そして、環状の防水テープ１２０は前記バッテリカバー１１０の下側で前記ＬＥＤ孔１１１を囲む大きさで形成される。例えば、前記ＬＥＤ孔１１１が円形に形成される場合、前記防水テープ１２０はＬＥＤ孔の円形より大きい面積を有する円形状を有する。
【００２５】
実施例に適用可能なエアベントフィルタ１４０についても図６を参照して説明する。
【００２６】
図６は、本実施例に適用可能なエアベントフィルタの構造を示す図である。
【００２７】
エアベントフィルタ１４０は空気は通過可能でありながらも水分の浸透は行われないようにする役割をし、このようなエアベントフィルタ１４０によって携帯機器の内部と外部との間の圧力差を減らすことができる。
【００２８】
図６を参照すると、実施例のエアベントフィルタ１４０は非多孔質の樹脂フィルム１４２で形成され、前記樹脂フィルム１４２の上に形成される処理層１４３と、前記樹脂フィルム１４２の周辺部の形状に沿って環状に形成される両面テープ１４４を含む。ここで、非多孔質とは内部が樹脂で詰まっている内容物をいう。
【００２９】
前記樹脂フィルム１４２は平面から見ると円形や多角形に形成されてもよいが、その形状が特に限られることはない。そして、前記樹脂フィルム１４２には厚さ方向に貫通する複数の貫通孔１４１が形成されている。即ち、複数の貫通孔１４１が前記樹脂フィルム１４２の厚さ方向の両面に繋がっている。前記貫通孔１４１は、例えばイオンビーム照査及びエッチングによって形成されてもよく、０．０１ミクロン以上１０ミクロン以下の大きさに形成される。
【００３０】
前記樹脂フィルム１４２を構成する材料としてはアルカリ溶液、酸化剤溶液又は酸化剤を含むアルカリ溶液によって分解される樹脂であってもよい。例えば、水酸化カリウムや水酸化ナトリウムなどのアルカリ溶液は樹脂を加水分解させる溶液として利用される。そして、前記貫通孔１４１が形成される樹脂フィルムとしてはオキシペン社又はミリポア社製のメンブレインフィルタを利用してもよい。
【００３１】
一方、前記樹脂フィルム１４２の上に形成される処理層１４３は前記貫通孔１４１の一部のみを覆うように薄く形成され、それによって前記貫通孔１４１に対応する位置に開口部１４５の形成される。そして、前記処理層１４３は疎水性及び発油性を有する。このような処理層１４３は疎水性の発油剤を樹脂フィルム１４２に薄く塗布して乾燥することによって形成され、発油剤としては、例えばフルオロウラシル基を有するフッ素系コーティング剤であってもよい。
【００３２】
前記貫通孔１４１が形成された樹脂フィルム１４２に発油剤を塗布して乾燥した場合、貫通孔１４１の内周面に処理層１４３と綱が割れる第２処理層を覆うこともできる。この場合、図６に示した開口部より更に小さいサイズの開口部が形成される。このように形成される開口部を介しては空気のみ出入可能であって水分の出入の一部のみを覆うように薄く形成され、それによって前記貫通孔１４１に対応し遮断される。
【００３３】
そして、前記両面テープ１４４は樹脂フィルム１４２の両側に設けられ、両側の両面テープ１４４の間には処理層１４３と開口部が露出される。前記両面テープ１４４は基材の両面に粘着剤が塗布されたものであり、基材としてはＰＥＴで形成された不織布であってもよく、粘着剤としてはアクリル系粘着剤やシリコーン系粘着剤が利用されてもよい。
【００３４】
このような構造を有するエアベントフィルタ１４０は両面テープ１４４を利用して他の部材に位置が固定され、貫通孔１４１内に形成される開口部を介して空気の通風が行われる。
【００３５】
図７は、図５に示した携帯機器の通風構造を拡大して示す図である。
【００３６】
図７を参照するとバッテリカバー１１０のＬＥＤ孔１１１にＬＥＤモジュール１３０が結合された状態が示されており、前記ＬＥＤモジュール１３０は前記ＬＥＤ孔１１１を介して上部面に一部のみ露出される。
【００３７】
そして、前記ＬＥＤモジュール１３０がＬＥＤ孔１１１に結合された状態ではバッテリカバーとＬＥＤモジュールが別途の部材であるため微細な大きさの隙間１１５が発生する。バッテリカバー１１０を携帯機器に装着した際の様子が図８に示されており、図８にはＬＥＤ孔１１１を介してＬＥＤレンズ１３１の上面の一部が露出された様子が示されており、上述した隙間１１５がＬＥＤレンズ１３１とバッテリカバー１１０との間に形成される。
【００３８】
ＬＥＤモジュール１３０は電気を利用して光を生成するＬＥＤ素子１３３と、前記ＬＥＤ素子１３３を下側で支持する素子支持部１３４と、前記ＬＥＤ素子１３３の光が透過するＬＥＤレンズ１３１と、前記ＬＥＤレンズ１３１の下側部と側面部を支持するレンズ支持部１３１ｂを含む。前記レンズ支持部１３１ｂは前記ＬＥＤレンズ１３１の下部面より大きい形状に形成され、前記レンズ支持部１３１ｂの一部には前記ＬＥＤレンズ１３１が位置し、他の部位には通風のための孔が形成されている。
【００３９】
そして、前記レンズ支持部１３１ｂが前記ＬＥＤレンズ１３１と必ずしも別途の部材で形成されることはなく、前記ＬＥＤレンズ１３１の下部面の一部が長く延長される形状で形成されてもよい。例えば、ＬＥＤレンズ１３１はＬＥＤ素子１３３の上に位置するレンズ領域１３１ａと、前記レンズ領域１３１ａから延長形成されながら前記バッテリカバー１１０の下（内側）に位置するレンズ支持部１３１ｂを含んでもよい。この場合、エアベントフィルタが付着される通風孔は前記延長領域に形成される。即ち、延長領域に形成される通風孔は前記バッテリカバー１１０の内側に向かって形成される。
【００４０】
そして、前記ＬＥＤモジュールの延長領域であるレンズ支持部１３１ｂは前記ＬＥＤ孔１１１を囲む形状に前記バッテリカバー１１０の下に形成されてもよい。即ち、レンズ支持部１３１ｂは前記ＬＥＤ孔１１１より大きいサイズで形成されて前記ＬＥＤレンズ１３１がＬＥＤ孔を通過しないようにし、防水テープによる防水が行われるようにするために前記ＬＥＤレンズの延長部、即ち、レンズ支持部１３１ｂは前記ＬＥＤ孔１１１の周囲を全て囲む形状に形成される。
【００４１】
以下では前記レンズ支持部１３１ｂが前記ＬＥＤレンズ１３１を支持するために配置されると説明し、レンズ支持部１３１ｂの一部は前記ＬＥＤレンズ１３１の下部面を支持して残りの一部はバッテリカバー１１０の方に延長形成されると説明する。よって、前記レンズ支持部１３１ｂはＬＥＤレンズの延長領域と称されてもよい。
【００４２】
前記レンズ支持部１３１ｂがバッテリカバー１１０の内側に位置し、空気が移動するようになる通風孔１３７が形成される。そして、前記レンズ支持部１３１ｂの下側には前記通風孔１３７と対応する位置にエアベントフィルタ１４０が装着される。前記エアベントフィルタ１４０の両面テープが前記レンズ支持部１３１ｂの下側面に付着されることによって前記エアベントフィルタ１４０の位置が固定される。そして、前記エアベントフィルタ１４０の樹脂フィルムに形成された開口部が前記通風孔１３７の下側に位置するように前記エアベントフィルタ１４０が付着される。
【００４３】
そして、前記ＬＥＤレンズ１３１とバッテリカバー１１０との間に形成される隙間１１５から入ってきた水分が携帯機器の内部に浸透することを防止するために、携帯機器の防水のための防水テープ１２０が前記バッテリカバー１１０とレンズ支持部１３１ｂとの間に設けられる。
【００４４】
この際、前記防水テープ１２０によって携帯機器の内部と外部の空気の移動経路が閉鎖されることを防止するために前記防水テープ１２０は前記レンズ支持部１３１ｂの端部側に付着される。即ち、ＬＥＤレンズ１３１とバッテリカバー１１０との間の隙間１１５とレンズ支持部１３１ｂに形成される通風孔１３７を連結する経路を妨害しないように前記防水テープ１２０は前記レンズ支持部１３１ｂの端部側に配置される。他の表現としては、隙間１１５と防水テープ１２０を連結する経路の上に前記通風孔１３７が位置する構造になる。
【００４５】
このような構造を介してバッテリカバー１１０やリアケースの外観に直接通風孔が露出されることを防止することができ、エアベントフィルタ１４０による通風及び防水と防水テープ１２０による防水機能が全て可能になる。
【００４６】
このような通風構造を有する携帯機器について、その通風特性と防水特性を評価する方法について説明する。
【００４７】
図９は、携帯機器の防水テストを行う様子を示す図である。
【００４８】
携帯機器の防水テストは密閉された空間内で携帯機器で高い空気圧を加えた後、携帯機器が曲がる程度から防水機器の性能をテストする。
【００４９】
図９には本実施例の通風構造が適用された携帯機器が図示されているが、ＬＥＤレンズとバッテリカバーとの間の隙間に防水テープが付着されていれば高い空気圧を携帯機器に加えると携帯機器内に空気が流入されないため、図示した矢印Ａのように携帯機器に曲げが発生する可能性がある。
【００５０】
しかし、本実施例の通風構造が適用された携帯機器の場合には高い空気圧を加えても隙間及びエアベントフィルタを介して空気が携帯機器の内部に流入される構造であるため、実際にその曲げ程度が矢印Ｂのように小さい。
【００５１】
このような結果から、本実施例の通風構造が適用された携帯機器が適切な性能の防水機能を有するにもかかわらず、従来の防水テストでは不合格判定を受ける可能性がある。従来のテスト装備でも本実施例の通風構造が適用された携帯機器の防水テストを円滑に行うことができる方法について開示する。
【００５２】
図１０乃至図１３は、本実施例の通風構造を有する携帯機器に対して防水テストを行う方法を説明する図である。
【００５３】
まず、本実施例による通風構造が適用された携帯機器に対する防水テストは、携帯機器内に設けられたエアベントフィルタと防水テープに対する通風テストが先に行われてから行われ、防水テストの際には空気の出入が行われる外観の隙間に対する密閉作業が後に行われる。 
【００５４】
図１０を参照すると、携帯機器に対する防水テストに先立って端末機の内部に設けられたエアベントフィルタ１４０と、防水テープ１２０に対する通風テストが行われる。このような通風テストはＬＥＤレンズとバッテリカバーとの隙間１１５を覆う空気チューブ２００を携帯機器に装着する。
【００５５】
そして、携帯機器の内部からエアベントフィルタ１４０の方に空気を吹き込んで前記隙間１１５を介して吐出される空気の量を測定する。エアベントフィルタ１４０は空気の通風が行われるようにするための部材であるため、エアベントフィルタと防水テープが正常性能を発揮すれば吹き込む空気の注入量Ｃと吐出される空気の排出量Ｄが実質的に同じであるはずである。
【００５６】
しかし、図１１のようにもし防水テープ１２０の不良によって防水テープ１２０を介して空気が移動すると、携帯機器の内側から外側に吹き込む空気の注入量Ｃより隙間１１５を介して吐出される排出量Ｄ’がより小さくなる。
【００５７】
そして、図１２のようにもしエアベントフィルタ１４０の側方向に空気が一部漏れるようになると、端末機の内部からエアベントフィルタ１４０の方に吹き込む空気の注入量Ｃより隙間１１５を介して吐出される排出量Ｄ’’がより小さくなる。
【００５８】
よって、本実施例による携帯機器の場合にはエアベントフィルタ１４０と防水テープ１２０に対する空気通風テストを行って図１０に示したように携帯機器の内部からエアベントフィルタ１４０の方に注入する空気の量Ｃと空気チューブを介して移動する隙間から吐出された空気の量Ｄが実質的に同じ場合に防水テストが行われる。 
【００５９】
実施例による防水テストは、図１３に示したようにＬＥＤレンズとバッテリカバーとの隙間を覆う大きさのマスキングテープ３００で前記隙間を閉鎖した後、一般的な防水テストのように携帯機器の方に高い空気圧を加えることで携帯機器の曲げ程度Ｆを測定する方法を介して行われる。 
【００６０】
もし、ＬＥＤレンズとバッテリカバーとの隙間以外に空気が移動する孔乃至隙間が存在する場合には携帯機器の曲げ程度Ｆが緩慢であり、携帯機器が完全に密閉されている場合にはその曲げ程度Ｆが急に形成される。
【００６１】
このような携帯機器の曲げ程度Ｆを測定し、基準値以上に曲げが発生した場合であれば該当携帯機器は防水テストを通過したと判断できる。
【００６２】
実施例に対する前記説明ではＬＥＤレンズの一部がバッテリカバーを介して露出されると説明し、前記バッテリカバーの下側に防水テープとエアベントフィルタが設けられると説明したが、バッテリ一体型の携帯機器の場合には前記バッテリカバーの代わりにリアケースを利用しても本発明の思想を適用できる。
【図１】
2015089107.tif 000003
【図２】
2015089107.tif 000004
【図３】
2015089107.tif 000005
【図４】
2015089107.tif 000006
【図５】
2015089107.tif 000007
【図６】
2015089107.tif 000008
【図７】
2015089107.tif 000009
【図８】
2015089107.tif 000010
【図９】
2015089107.tif 000011
【図１０】
2015089107.tif 000012
【図１１】
2015089107.tif 000013
【図１２】
2015089107.tif 000014
【図１３】
2015089107.tif 000015